(57)【要約】【課題】使用に際しての作業が容易であり、かつ不要物（剥離材等のゴミ）を発生させないシート状の液塗布具を提供すること。【解決手段】片面に開孔２３を有する扁平な大収容部２１及び該大収容部２１に連結されている小収容部２２を有する液収容体２を備えたシート状の液塗布具１である。使用前の状態においては、小収容部２２と大収容部２１との間の液流路２４ａが折り畳まれており且つ小収容部２２の内部に液体が収容されており、使用に際して小収容部２２を展開することにより、液体の大収容部２１内への移行及び該液体の開孔２３からの流出が可能となるように構成されている。【選択図】図１
2018099270.tif 000002
【特許請求の範囲】
【請求項１】
片面に開孔を有する扁平な大収容部及び該大収容部に連結されている小収容部を有する液収容体を備えたシート状の液塗布具であって、
使用前の状態においては、前記小収容部と前記大収容部との間の液流路が折り畳まれており且つ該小収容部の内部に液体が収容されており、
使用に際して前記小収容部を展開することにより、前記液体の前記大収容部内への移行及び該液体の前記開孔からの流出が可能となるように構成されている、シート状の液塗布具。
【請求項２】
更に繊維材料から構成された液拡散シートを備え、
前記液拡散シートは、前記大収容部の前記開孔を有する面と対向した状態に、前記液収容体と積層されている、請求項１に記載のシート状の液塗布具。
【請求項３】
前記大収容部が長さ方向及び幅方向を有しており、
前記大収容部と前記小収容部との間の液流路の長さが、該小収容部の内部空間の、前記大収容部の長さ方向に沿う方向の最大長さに比して短い、請求項１又は２に記載のシート状の液塗布具。
【請求項４】
前記大収容部が、長さ方向及び幅方向を有し、前記小収容部が、該大収容部の長さ方向に沿う両側それぞれに設けられている、請求項１〜３の何れか１項に記載のシート状の液塗布具。
【請求項５】
柄とヘッド部とを有する清掃具の該ヘッド部に装着されて用いられるシート状の液塗布具であり、
前記小収容部が、前記ヘッド部に設けられた液塗布具固定用の固定部の位置に設けられている、請求項１〜４の何れか１項に記載のシート状の液塗布具。
【請求項６】
前記小収容部に収容されている前記液体が、樹脂成分、洗浄剤又はこれらの混合物を含む、請求項１〜５の何れか１項に記載のシート状の液塗布具。
【発明の詳細な説明】
【技術分野】
【０００１】
本発明は、シート状の液塗布具に関する。
【背景技術】
【０００２】
フローリング等の床面の清掃や、フローリング等に対するワックスの塗布、メーク落としや体汗除去等の身体の清拭等のために、不織布等に液体を含浸させてなるウエットシートが用いられている。また、液体を塗布対象物の広範囲に塗布するための工夫を施したものも種々提案されている。
例えば、特許文献１には、薬剤を封入した薬剤封入物と、薬剤封入物を被覆しており、剥離することによって薬剤封入物に開孔を形成可能な被覆材と、薬剤を塗布する塗布物質が順次積層されている塗布材が記載されている。
【０００３】
また本出願人は、特許文献２において、洗浄剤又はつやだし材を高含浸率で含浸させてなる液保持シートと、該液保持シートと密封収容する液不透過性の扁平な収容体と、液徐放シートとを備えた清掃用ウエットシートであって、使用の際に、収容体に形成された開孔の封止状態を解くようになされているものを提案している。
【先行技術文献】
【特許文献】
【０００４】
【特許文献１】特開平１０−２６２８８９号公報
【特許文献２】特開２００５−２０４９５０号公報
【発明の概要】
【発明が解決しようとする課題】
【０００５】
特許文献１及び２に記載の塗布材によれば、被覆材の剥離により開孔が生じて薬剤が塗布物質に供給されるため、薬剤を塗布物質に供給しながら、塗布物質による薬剤の塗布を行うことができ、そのため、被塗布物の広範囲に薬剤を塗布することができる。また、被覆材を剥離しなければ、開孔が形成されないので、製造中、運搬中、或いは保管中などに薬剤が漏出しない。
【０００６】
しかし、特許文献１及び２に記載の塗布材は、開孔を形成するために被覆材を剥離する操作が必要であり、使用するための準備が必ずしも容易ではない上、開封に際して剥離材が不要物（ごみ）となる。
【０００７】
本発明は、前述した従来技術が有する課題を解決し得るシート状の液塗布具を提供することに関する。
【課題を解決するための手段】
【０００８】
本発明は、片面に開孔を有する扁平な大収容部及び該大収容部に連結されている小収容部を有する液収容体を備えたシート状の液塗布具であって、使用前の状態においては、前記小収容部と前記大収容部との間の液流路が折り畳まれており且つ該小収容部の内部に液体が収容されており、使用に際して前記小収容部を展開することにより、前記液体の前記大収容部内への移行及び該液体の前記開孔からの流出が可能となるように構成されている、シート状の液塗布具を提供するものである。
【発明の効果】
【０００９】
本発明のシート状の液塗布具によれば、使用前における液体の漏出を防止できるとともに、使用に際しての準備作業が容易であり、不要物（剥離材等のゴミ）も発生させない。
【図面の簡単な説明】
【００１０】
【図１】図１は、本発明のシート状の液塗布具の一実施形態の展開状態の平面図である。
【図２】図２は、図１に示すシート状の液塗布具の分解斜視図である。
【図３】図３（ａ）は、図１に示すシート状の液塗布具の大収容部と小収容部との連結部の拡大図であり、図３（ｂ）は、本発明の他の実施形態における図３（ａ）相当図である。
【図４】図４は、図１に示すシート状の液塗布具の使用前の状態を示す断面図である。
【図５】図５は、清掃具における図１に示すシート状の液塗布具の装着態様を示す模式図である。
【図６】図６は、図１に示すシート状の液塗布具を清掃具のヘッド部に装着した状態を示す斜視図である。
【発明を実施するための形態】
【００１１】
以下本発明を、その好ましい実施形態に基づき図面を参照しながら説明する。
本発明の一実施形態であるシート状の液塗布具１（以下、単に液塗布具１ともいう）は、図１及び図２に示すように、液収容体２と液拡散シート３とを備える。
【００１２】
本実施形態の液塗布具１における液収容体２は、液不透過性シートから形成されており、平面視して矩形状の扁平な袋状の大収容部２１と、該大収容部２１に連結されている小収容部２２とを有する。
液収容体２は、２枚の液不透過性シートの周縁部どうしを接合することで形成することができる。この接合には、超音波シール、ヒートシール等の公知の接合手段が用いられる。液不透過性シートは、液不透過性である程度の柔軟性を有するものを特に制限なく用いることができ、例えば、熱可塑性樹脂のフィルムや、該フィルムにアルミニウムなどの金属薄膜をラミネートしたものなどを用いることができる。なお、液収容体２は、液不透過性シートどうしの接合部を周縁部の全域に有するものに制限されない。例えば、筒状シートの両端開口部及び所定箇所を接合して形成したものであっても良い。
大収容部２１は、開孔２３を有する片面（以下、第１面２ａという）と、そのような開孔を有しない他面（第２面２ｂ）とを有している。
【００１３】
液拡散シート３、図１及び図２に示すように、開孔２３を有する第１面２ａに対向した状態で、液収容体２と積層されている。本実施形態における液拡散シート３は、液収容体２の第１面２ａと全体又は一部が接合されていても良い。液収容体２は、液拡散シート３と重なる部分の全域が、液拡散シート３と接合されていても良いし、液拡散シート３と重なる部分が部分的に液拡散シート３と接合されていても良い。例えば、液収容体２はその周囲にシール部を備え、該シール部上に、液収容体２と液拡散シート３との接合部が形成されていても良い。また、液収容体２は、大収容部２１のみが、液拡散シート３と全域又は一部において接合されていても良いし、大収容部２１及び小収容部２２が、それぞれ、全域又は一部において液拡散シート３と接合されていても良い。
【００１４】
本実施形態の液塗布具１は、硬質表面、例えばフローリング等の清掃やつや出しに好適に用いられるものであり、液塗布具１の液拡散シート３側の面がフローリング等の清掃対象物と当接される。
【００１５】
本実施形態の液塗布具１は、使用前の状態においては、小収容部２２と大収容部２１との間の液流路２４ａが折り畳まれており且つ該小収容部２２の内部に液体が収容されている。具体的には、液塗布具１の使用前の状態において、図４に示すように、個々の小収容部２２が、それぞれ、大収容部２１と連結されている連結部２４の位置において折り畳まれており、連結部２４に位置する液流路２４ａが折り畳まれている。大収容部２１と小収容部２２とは、相対向する液不透過性シート間が接合されていない液流路２４ａを介して、内部どうしが通液可能に連通されているが、小収容部２２と大収容部２１との間の液流路２４ａが、図４に示すように折り返されるように折り畳まれていることによって、液流路２４ａ内を液体が流通不可能又は流通困難となっており、小収容部２２内の液体が大収容部２１内に実質的に移行しないようになっている。なお、使用前の状態とは、工場から店舗への運搬中や、店舗や家庭内での保管状態である。
【００１６】
本実施形態の液塗布具１は、使用に際して、小収容部２２が展開される。具体的には、図１に示すように、小収容部２２は連結部２４を境に折り畳まれた状態から展開される。これにより、小収容部２２に収容されている液体の大収容部２１内への移行及び該液体の開孔２３からの流出が可能となる。液体の大収容部２１内への移行は、小収容部２２を、図４に示すような折り畳まれた状態から図１に示すような平面状態に展開するだけで移行するものであっても良いが、図１に示すような平面状態に展開した上で、該小収容部２２を手などで加圧することによって移行するものであっても良い。さらに図５に示すような清掃具への取り付け時、固定部５４へ小収容部２２を差し込む際に加圧されることによって移行するものであっても良い。
【００１７】
このように、本実施形態の液塗布具１によれば、小収容部２２と大収容部２１との間が折り畳まれていることによって、液体が小収容部２２に保持されており、大収容部２１への液体の移行が起こらないか、仮に起こっても開孔から流出しない程度である。そのため、液塗布具１の使用前、例えば、液塗布具１の運搬中や保管中等における液体の漏出を防止することができる。
他方、使用に際しては、小収容部２２を展開させるだけで使用可能な状態となり、使用に際しての作業が簡便であり、また、不要物（剥離材等のゴミ）を発生させることなく使用することができる。
また、開孔２３通じて塗布面に、液体を供給しながら塗布することができるため、塗布対象物に液体を広範囲に塗布することもできる。
【００１８】
本実施形態の液塗布具１における大収容部２１は、前述したように、開孔２３を有する第１面２ａと、そのような開孔を有しない第２面２ｂとを有している。
本発明の液塗布具における大収容部２１は、そのような開孔２３を１つ有していてもよく、複数有していてもよいが、液塗布具１の塗布面の広い範囲に液体をよりまんべんなく行き亘らせることができ、塗布ムラが生じにくくなる観点から、複数有することが好ましい。
本実施形態の液塗布具１の第１面２ａにおいては、平面視における大収容部２１の一方向Ｘに沿って複数の開孔が直列した開孔列２３Ｌａが、該一方向と直交する方向Ｙに複数列形成されるように配置されている。斯かる配置により、一層、塗布ムラの少ない液体の塗工が可能となる。
なお、本実施形態において、開孔列２３Ｌａが延びる一方向Ｘは、図１に示すように、平面視における大収容部２１の長さ方向Ｘであり、前記一方向Ｘと直交する方向Ｙは、平面視における大収容部２１の幅方向Ｙである。
【００１９】
本実施形態において開孔２３は、該開孔２３を通じて小収容部２２から大収容部２１に移行した液体を、後述する液拡散シート３に徐々に移行させ得る大きさ及び／又は開孔率を有している。具体的には、液塗布具１により液体を塗布する対象物やその対象物に塗布する液体の粘度等に応じて適宜に決定されるが、液塗布具１に液体の徐放性を付与して塗布対象物の広範囲に塗布可能とする観点から、例えば、各開孔２３の面積は、好ましくは０．００１ｍｍ２以上、より好ましくは０．００５ｍｍ２以上であり、また好ましくは０．８ｍｍ２以下、より好ましくは０．２５ｍｍ２以下であり、また、好ましくは０．００１ｍｍ２以上０．８ｍｍ２以下、より好ましくは０．００５ｍｍ２以上０．２５ｍｍ２以下である。また、同様の観点から、使用時に液拡散シート３と対向配置される大収容部２１の全面積に対する開孔２３の面積の総和の割合、つまり開孔率は、好ましくは５．０×１０−６％以上、より好ましくは２．０×１０−５％以上であり、また好ましくは１．０％以下、より好ましくは４．５×１０−３％以下であり、また、好ましくは５．０×１０−６％以上１．０％以下、より好ましくは２．０×１０−５％以上４．５×１０−３％以下である。このような開孔２３の面積及び開口率の好ましい範囲は、フローリングに対するワックスがけや床面の洗浄のために、フローリング等の床面に塗布する薬剤等の場合に一層好ましい。
【００２０】
本実施形態において、小収容部２２は、図１及び図２に示すように、大収容部２１を挟む両側それぞれに設けられており、より具体的には、小収容部２２が、大収容部２１の長さ方向Ｘに沿う両側それぞれに設けられている。これにより、清掃具への取り付けを確実に行うことができる。
【００２１】
本実施形態の液塗布具１においては、図３（ａ）に示すように、大収容部２１と小収容部２２との間の液流路２４ａの長さＬ１が、小収容部２２の内部空間２２Ｓの、大収容部２１の長さ方向Ｘに沿う方向の最大長さＬ２に比して短い。斯かる構成により、液塗布具１の使用前、例えば液塗布具１の運搬中や保管中等における液体の漏出をより確実に防止することができる。図３（ｂ）に示す他の実施形態においても、本実施形態の液塗布具１と同様に、大収容部２１と小収容部２２との間の液流路２４ａの長さＬ１が、小収容部２２の内部空間２２Ｓの、大収容部２１の長さ方向Ｘに沿う方向の最大長さＬ２に比して短くなっている。ここで、大収容部２１と小収容部２２との間の液流路２４ａの長さＬ１は、図３（ａ）及び図３（ｂ）に示すように、折り畳まれている位置における液流路２４ａの、大収容部２１の長さ方向Ｘに沿う方向の長さである。また、小収容部２２の内部空間２２Ｓの、大収容部２１の長さ方向Ｘに沿う方向の最大長さＬ２は、小収容部２２の内部空間２２Ｓの、大収容部２１の長さ方向Ｘに沿う方向の長さが最も長くなる部分の長さである。
【００２２】
また、本実施形態の液塗布具１における小収容部２２は、大収容部２１との連結部２４の長さＬ３が、小収容部２２の連結部２４とは反対側の端部の長さＬ４より短くなっている。斯かる構成により、液塗布具１の使用前、例えば液塗布具１の運搬中や保管中等における液体の漏出を確実に防止することができる。
他方、図３（ｂ）に示す実施形態における小収容部２２は、大収容部２１との連結部２４の長さＬ３が、小収容部２２の連結部２４とは反対側の端部の長さＬ４の９０％以上１１０％以下であり、略同じとなっている。
【００２３】
本実施形態の液塗布具１は、図１に示すように、繊維材料からなる液拡散シート３を備える。液拡散シート３を備えることにより、塗布対象に液体をムラなく広範囲に塗布することが容易となる。
液拡散シート３は、前述したように、大収容部２１の開孔２３を有する面２ａに対向した状態に液収容体２と積層されていることが好ましい。この場合、液拡散シート３は、使用時に液体の塗布対象側に向けられる外面３１と、大収容部２１の第１面と対向配置される内面３２とを有している。
液拡散シート３は、開孔２３から放出された液体を内部に取り込みシート内を拡散させることによって、個々の開孔２３と重なる範囲よりも大きく広がった範囲から、液体を、塗布対象物に移行させるために用いられる。それにより、液体を、塗布対象物の広い範囲に液をむらなく塗工することができる。また、大収容部２１から放出された液体がシート内に一旦保持されることで、塗布の初期から終期にいたるまで、比較的均一な量の液体を塗工することも可能である。
【００２４】
液拡散シート３としては、繊維材料からなる繊維シートが好ましく用いられ、液拡散シート３として用いる繊維シートとしては、例えば、湿式抄造紙、スパンレース不織布、メルトブローン不織布等の各種製法による不織布などが挙げられる。繊維シートを構成する繊維材料としては、パルプ繊維等のセルロース系繊維、ポリプロピレン、ポリエチレン等のポリオレフィン、ポリエチレンテレフタレート等のポリエステル、ナイロン等のポリアミド等の各種公知の合成繊維が挙げられる。合成繊維は、複数種類の樹脂成分からなる芯鞘型やサイドバイサイド型の複合繊維でも良い。これらの繊維は１種を単独で又は２種以上を組み合わせて用いることができる。
【００２５】
液拡散シート３は、その坪量が、好ましくは１０ｇ／ｍ２以上、より好ましくは２０ｇ
／ｍ２以上であり、また好ましくは２００ｇ／ｍ２以下、より好ましくは８０ｇ／ｍ２以下であり、また好ましくは１０ｇ／ｍ２以上２００ｇ／ｍ２以下、より好ましくは２０ｇ／ｍ２以上８０ｇ／ｍ２以下である。
【００２６】
本実施形態の液塗布具１は、図６に示すように、柄５１とヘッド部５３とを有する清掃具５の該ヘッド部５３に装着されて用いられるシート状の液塗布具であって、４つの小収容部２２は、それぞれ、ヘッド部５３に設けられた液塗布具固定用の固定部５４の位置に設けられている。より具体的には、図５に示す清掃具５は、ヘッド部５３の上面に、液塗布具固定用の固定部５４として複数の押し込み固定部を有しており、４つの小収容部２２のそれぞれを、固定部５４に設けられた、スリットを形成する可撓性の複数の片部間に押し込むことによって小収容部２２をスリットに固定することができる。そして、この固定の際、小収容部２２をスリットに押し込むことで、展開後も小収容部２２に残った液体が押し出され、より多くの液体を、大収容部２１へ移行させることができる。
このように小収容部２２の一部を固定部５４に固定する際、より安定に固定する観点から、小収容部２２の、大収容部２１の長さ方向Ｘに沿う方向の最大長さＬ２又は前述した長さＬ４は、好ましくは１．０ｃｍ以上、より好ましくは３．０ｃｍ以上であり、また好ましくは１２．０ｃｍ以下、より好ましくは６．０ｃｍ以下であり、また好ましくは１．０ｃｍ以上１２．０ｃｍ以下、より好ましくは３．０ｃｍ以上６．０ｃｍ以下である。
また小収容部２２の大収容部２１からの突出長さＬ５は、好ましくは１．５ｃｍ以上、より好ましくは３．０ｃｍ以上であり、また好ましくは１０ｃｍ以下、より好ましくは５．０ｃｍ以下であり、また好ましくは１．５ｃｍ以上１０ｃｍ以下、より好ましくは３．０ｃｍ以上５．０ｃｍ以下である。
【００２７】
また、小収容部２２内の液体を押し出し、より多くの該液体を大収容部２１内へ移行させ、運搬中や保管中等に液体の漏出を防止する観点から、液流路２４ａの長さＬ１は、好ましくは０．５ｃｍ以上、より好ましくは１．０ｃｍ以上であり、また好ましくは２．０ｃｍ以下、より好ましくは１．５ｃｍ以下であり、また好ましくは０．５ｃｍ以上２．０ｃｍ以下、より好ましくは１．０ｃｍ以上１．５ｃｍ以下である。
【００２８】
また、小収容部２２の一部をより安定に固定する点と、小収容部２２内の液体を押し出し、より多くの該液体を大収容部２１内へ移行させる点を両立する観点から、長さＬ１とＬ２の比率（Ｌ１／Ｌ２）は、好ましくは１／２４以上、より好ましくは１／４以上であり、また好ましくは１／２以下、より好ましくは１／３以下であり、また好ましくは１／２４以上１／２以下、より好ましくは１／４以上１／３以下である。
【００２９】
また、個々の小収容部２２は、周縁部のシール部を除く部分の平面積が、大収容部２１の、周縁部のシール部を除く部分の平面積に対して、好ましくは１．１２％以上、より好ましくは６％以上であり、また好ましくは１８．８％以下、より好ましくは７％以下であり、また好ましくは６％以上１８．８％以下、より好ましくは１．１２％以上７％以下である。
【００３０】
液塗布具固定用の固定部５４に押し込まれることにより内部の液体が押し出されるように形成された小収容部２２は、一つのみ設けられていても良いが、清掃具への取り付けを確実に行い、且つより多くの液体を収容することができる観点から、大収容部２１の長さ方向に沿う両側に一対以上設けられていることが好ましく、図１に示すように、大収容部２１の長さ方向に沿う両側に二対以上設けられていることが更に好ましい。
【００３１】
本実施形態の液塗布具１において、小収容部２２に収容されている液体は樹脂成分、洗浄剤又はこれらの混合物を含むものであることが好ましい。
洗浄剤は、土ボコリ、皮脂、油汚れのような乾式清掃では取り切れない汚れを溶解して、拭き取り除去することを目的とした剤である。また、樹脂成分としては、公知のつや出し剤を用いることができる。つや出し剤は、フローリングのつや出し、保護を目的とした剤である。液体は、洗浄剤と樹脂成分の両者を含むものであっても良い。
洗浄剤は、水を媒体とし、界面活性剤、アルカリ剤等を含有することが好ましい。界面活性剤は、陰イオン界面活性剤、非イオン界面活性剤、陽イオン界面活性剤及び両性界面活性剤の何れであっても良い。アルカリ剤としては、水酸化ナトリウム等の水酸化物、炭酸ナトリウム等の炭酸塩、硫酸水素ナトリウム等のアルカリ性の硫酸塩、第１リン酸ナトリウム等のリン酸塩、酢酸ナトリウム、コハク酸ナトリウム等の有機アルカリ金属塩、アンモニア、モノ、ジ又はトリエタノールアミン等のアルカノールアミン、２−アミノ−２−メチル−１−プロパノール等のβ−アミノアルカノール並びにモルホリン等が挙げられる。洗浄剤には、前述の成分に加えて除菌剤、香料、防黴剤、色素（染料、顔料）、キレート剤等を含有させることもできる。つや出し剤としては、市販のつや出し剤を用いることができ、また、本出願人の先の出願に係る特開２００１−１３１４９５号公報等に記載のものを用いることもできる。
【００３２】
液収容体２や液拡散シート３の平面視形状は、矩形に限られず、円形、楕円形、正方形等の任意の形状とすることができる。また液塗布具１は、図５に示すような清掃具５のヘッド部５３に装着して使用するものでなくても良く、ヘッド部５３に代えて、手で床面に押し付けて使用するものであっても良い。
また小収容部２２と大収容部２１との間の液流路２４ａの折り畳まれている位置は、上記の実施形態の液塗布具１のように、小収容部２２と大収容部２１との連結部２４の位置であっても良いが、該連結部２４より内側において折り畳まれていても該連結部２４より外側において折り畳まれていても良く、連結部２４の位置又はそれより外側の位置において折り畳まれていることが更に好ましい。また、大収容部は、液拡散シート３又は床面等の塗布対象物側に向けられる面の全部又は一部が、メッシュや液透過性の不織布から形成されており、該メッシュの目や不織布の繊維間の隙間が開孔を形成していても良い。
【００３３】
また、液収容体２における大収容部２１の内部に、液保持シートを収容し、小収容部２２から移行する液体を、その液保持シートに含浸させた状態で液塗布具１を使用しても良い。
本発明のシート状の液塗布具は、特にフローリングの清掃に好適であるが、これ以外の硬質表面、例えば自動車のボディや革靴などの清掃やつや出しに用いることもできる。また、メーク落としや体汗除去等の身体の清拭等に用いることもできる。この場合の液体は、例えば、身体に適用可能な洗浄剤、化粧水、乳液、等である。
【符号の説明】
【００３４】
１        シート状の液塗布具
２        液収容体
２１      大収容部
２２      小収容部
２３      開孔
２３Ｌａ  開孔列
２４      連結部
２４ａ    液流路
３        液拡散シート
３１      外面
３２      内面
５        清掃具
５１      柄
５３      ヘッド部
５４      固定部
【図１】
2018099270.tif 000003
【図２】
2018099270.tif 000004
【図３】
2018099270.tif 000005
【図４】
2018099270.tif 000006
【図５】
2018099270.tif 000007
【図６】
2018099270.tif 000008